(57)【要約】【課題】簡易な構成であって、気密性確保と水蒸気排出による土台や根太等の耐久性確保という要請を併せ満たすことができると共に、施工が簡単で作業性に優れた気密材及びその施工方法を提供することを課題とする。【解決手段】透湿性と防水性とを併せ有する適宜サイズのシート１の端部に、複数本の棒状又は管状の弾性パッキン材２を並走させたことを特徴とする。気密材の施工方法であって、前記シート１の前記弾性パッキン材２を定着した側の端部を、前記弾性パッキン材２を下側にし且つ前記シート１の反対側端部を屋外側に配して基礎１０上に定置する工程、前記基礎１０上に定置した前記シート１の端部上に土台１１を設置する工程、前記シート１を前記土台１１を包み込むようにして屋内側に翻転する工程、前記シート１に包まれた前記土台１１上に柱を立てる工程、前記シート１の屋内側端部を上方に引上げて固定する工程、とから成ることを特徴とする。【選択図】図３
2006118305.tif 000002
【特許請求の範囲】
【請求項１】
透湿性と防水性とを併せ有する適宜サイズのシートの端部に、複数本の棒状又は管状の弾性パッキン材を並走させたことを特徴とする気密材。
【請求項２】
前記シートはＪＩＳ  Ａ６１１１規格を満たすものである請求項１に記載の気密材。
【請求項３】
前記弾性パッキン材は２本である請求項１又は２に記載の気密材。
【請求項４】
前記弾性パッキン材は断面円形ないし楕円形であって、前記シートに接着するための着座部を有することを特徴とする請求項１乃至３のいずれかに記載の気密材。
【請求項５】
請求項１乃至４のいずれかに記載の気密材の施工方法であって、
前記シートの前記弾性パッキン材を定着した側の端部を、前記弾性パッキン材を下側にし且つ前記シートの反対側端部を屋外側に配して基礎上に定置する工程、
前記基礎上に定置した前記シートの端部上に土台、側根太及び床下張り材を設置する工程、
前記シートを前記土台、側根太を経て前記床下張り材上に展開する工程、
前記シートを展開した前記床下張り材端部上に柱及び壁を設置する工程、
前記シートの屋内側端部を上方に引上げて固定する工程、
とから成ることを特徴とする気密材の施工方法。
【請求項６】
請求項１乃至４のいずれかに記載の気密材の施工方法であって、
前記シートの前記弾性パッキン材を定着した側の端部を、前記弾性パッキン材を下側にし且つ前記シートの反対側端部を屋外側に配して基礎上に定置する工程、
前記基礎上に定置した前記シートの端部上に土台を設置する工程、
前記シートを前記土台を包み込むようにして屋内側に翻転する工程、
前記シートに包まれた前記土台上に柱を立てる工程、
前記シートの屋内側端部を上方に引上げて固定する工程、
とから成ることを特徴とする気密材の施工方法。
【請求項７】
前記柱立て工程後に、前記シートの前記土台上の部分を抜板等の押さえ材で固定する工程を含む請求項６に記載の気密材の施工方法。
【発明の詳細な説明】
【技術分野】
【０００１】
本発明は気密材及びその施工方法、より詳細には、住宅の基礎と土台の間に使用し、その設置部分の気密性を保持すると共に湿気を排出するための、施工性に優れた気密材及びその施工方法に関するものである。
【背景技術】
【０００２】
近年住宅の建築手法において省エネ効果、温熱環境及び空気環境の向上を目的として高断熱高気密が行なわれるケースが増えてきている。この手法においては、住宅の床・壁・天井（いわゆる住宅の外皮部）の断熱・気密化を図ることとなる。
【０００３】
この高断熱高気密の手法において、床（最下階床）部の断熱・気密化を図る代わりに基礎部を断熱する手法が増えてきており、これを基礎断熱工法（これに対して床部を断熱する場合を床断熱工法と呼ぶ）と呼んでいる。基礎断熱工法のメリットとしては、施工が床断熱工法よりも簡易であること、１階床下部に配管される水道配管などの各種設備のメンテナンスがし易くなる等の点を挙げることができる。
【０００４】
しかるに、この基礎断熱工法の場合は、基礎と土台間の気密性を如何にして保つかが問題であった。この問題を解決する目的で、各種商品が開発されてきている（例えば、シートの端部に弾性パッキン材を定着した本願出願人の製品「天端リスト」など）。
【０００５】
しかし、この製品は、枠組み壁工法などに使用した場合には、使用しているシートに透湿性がないために土台周りで結露水が貯まるおそれがある。そのためこの製品は、枠組み壁工法等には使用することができない。また、在来木造建築で充填断熱工法による場合には、その弾性パッキン材部分を基礎と土台間に挟み入れた後、屋内側においてシート部分を立上げる際、火打ち、大引き、根太等が邪魔になり、これらを避けて立上げなければならないために作業に手間がかかる。
【０００６】
また、特開平８−３１９６７７号公報に記載されているような、シート部のないタイプの商品も開発されているが、この場合、土台周りの防水及び気密保持のために別途処理を施す必要が生ずるので、施工性が落ちるという問題がある。
【特許文献１】特開平８−３１９６７６号公報
【特許文献２】特開平８−３１９６７７号公報
【発明の開示】
【発明が解決しようとする課題】
【０００７】
上述したように、従来の商品では、気密性確保と水蒸気排出による土台や根太等の耐久性確保という要請を併せ満たすことができず、施工作業にも手間がかかるといった問題があった。そこで本発明は、簡易な構成であって、気密性確保と水蒸気排出による土台や根太等の耐久性確保という要請を併せ満たすことができると共に、施工が簡単で作業性に優れた気密材及びその施工方法を提供することを課題とする。
【課題を解決するための手段】
【０００８】
上記課題を解決するために請求項１に係る発明は、透湿性と防水性とを併せ有する適宜サイズのシートの端部に、複数本の棒状又は管状の弾性パッキン材を並走させたことを特徴とする気密材を提唱する。
【０００９】
好ましくは、前記シートはＪＩＳ  Ａ６１１１規格を満たすものとする。通例、前記弾性パッキン材は２本とされ、また、好ましくは前記弾性パッキン材は断面円形又は楕円形であって、前記シートに接着するための着座部を有するものとされる。
【００１０】
また、上記課題を解決するために請求項５に記載の発明は、請求項１乃至４のいずれかに記載の気密材の施工方法であって、前記シートの前記弾性パッキン材を定着した側の端部を、前記弾性パッキン材を下側にし且つ前記シートの反対側端部を屋外側に配して基礎上に定置する工程、前記基礎上に定置した前記シートの端部上に土台、側根太及び床下張り材を設置する工程、前記シートを前記土台、側根太を経て前記床下張り材上に展開する工程、前記シートを展開した前記床下張り材端部上に柱及び壁を設置する工程、前記シートの屋内側端部を上方に引上げて固定する工程、とから成ることを特徴とする気密材の施工方法を提唱する。
【００１１】
更に、上記課題を解決するために請求項６に記載の発明は、請求項１乃至４のいずれかに記載の気密材の施工方法であって、前記シートの前記弾性パッキン材を定着した側の端部を、前記弾性パッキン材を下側にし且つ前記シートの反対側端部を屋外側に配して基礎上に定置する工程、前記基礎上に定置した前記シートの端部上に土台を設置する工程、前記シートを前記土台を包み込むようにして屋内側に翻転する工程、前記シートに包まれた前記土台上に柱を立てる工程、前記シートの屋内側端部を上方に引上げて固定する工程、とから成ることを特徴とする気密材の施工方法を提唱する。
【発明の効果】
【００１２】
本発明に係る気密材は、透湿性と防水性とを併せ有する適宜サイズのシートの端部に、複数本の棒状又は管状の弾性材を並走させて成るので、弾性パッキン材設置部分を基礎と土台の間に挟み入れることにより、弾性パッキン材が潰れてその部分が確実に気密シールされ、また、シート部分が立上げられ、気密防湿シートと連続性を持って断熱材に定着されることにより、気密防湿シートと相俟って、土台から断熱材に至る部分の構成部材間における気密シールを達成し得る効果がある。
【００１３】
また、シートは透湿性能と防水性能とを有していて、床下空間内の水蒸気を随時排出することができ、以て土台や根太等の木製構成材の耐久性を向上させ得る効果があり、更に、土台の屋内側側面はシートにくるまれることなく露出状態となるので、当該側面に対する火打ち、大引き、根太受け等の施工が容易となる効果がある。
【００１４】
本発明に係る気密材の施工方法によれば、シート部分を屋外側から土台をくるむようにして屋内側に引き込んだ後、上方に立上げて固定するので、火打ち、大引き、根太等に何ら邪魔されることなく作業を行なうことができるので、作業性がよい。
【発明を実施するための最良の形態】
【００１５】
本発明を実施するための最良の形態を添付図面に依拠して説明する。図１は本発明に係る気密材を示すもので、それは、透湿性と防水性とを併せ有し、好ましくはＪＩＳ  Ａ６１１１規格を満たす適宜サイズの透湿防水シート１の端部に、複数本の棒状又は管状の弾性パッキン材２を並走させて成る。
【００１６】
透湿防水シート１は、予め所定サイズにカットしたものとしてもよいし、比較的大きめにしておいて、現場において施工個所に合わせてカットすることとしてもよい。
【００１７】
弾性パッキン材２は複数本（通例、基礎の幅よりも少し狭い間隔にて２本）設置される。弾性パッキン材２はＥＰＤＭゴムや樹脂製の弾力性を有する線材又は管材で、好ましくは、図示したような外径が１５ｍｍ程の円管材又は楕円管材とされ、透湿防水シート１への接着力を高めるために、平坦な着座部３が形成される。
【００１８】
次に、上記気密材の施工方法について説明する。図２は枠組壁工法における充填断熱工法の場合の施工例で、この場合は先ず、弾性パッキン材２を基礎１０側にして透湿防水シート１の弾性パッキン材２定着側端部を、基礎１０上に配置して基礎１０から突出している土台締付け用ボルトを利用したり、テープ止めしたりしてそこに止め、透湿防水シート１の反対側は垂らしておく。
【００１９】
次いで、土台１１、側根太１２、床下張り材１３を設置し、垂らしておいた透湿防水シート１を持ち上げ、土台１１、側根太１２及び床下張り材１３の端面をくるむようにして床下張り材１３上に展開する。そして、透湿防水シート１の端部を持ち上げ、壁の屋内側側面に貼着されている既存の気密防湿シート１５に重ね、必要に応じてテープ止めする。
【００２０】
図３は、在来木造工法における充填断熱工法の場合の施工例で、この場合は、透湿防水シート１を基礎１０上に配置して、土台１１を建て込むところまでは上記の場合と同じである。
【００２１】
この場合は次いで、透湿防水シート１を土台１１を包み込むようにして屋内側に翻転し、その後、透湿防水シート１に被覆された土台１１上に柱を立てる。そして、窓開口を形成するような場合には、柱間に抜板１６を配する等して土台１１上の透湿防水シート１を押さえ止め、抜板１６上に間柱を立てたりする。
【００２２】
その後、透湿防水シート１の端部を立上げ、柱、間柱、断熱材１４等にテープ等を介して止着する。
【００２３】
図４は、在来木造工法における外張り断熱工法の場合の施工例で、この場合は透湿防水シート１を上記同様にして基礎１０上に止着した後、土台１１を設置し、気密防湿シート１５の下端部を土台１１と透湿防止シート１の端部との間に挟み入れ、必要に応じてテープ止めした後に、断熱材１４を設置する。
【００２４】
なお、従来の透湿性を有しないシート材にて本発明に係る方法を実施した場合には、土台周りに結露が生じてしまうことは言うまでもないところである。
【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２６】
【図１】本発明に係る気密材の構成例を示す図である。
【図２】本発明に係る気密材の施工例を示す図である。
【図３】本発明に係る気密材の他の施工例を示す図である。
【図４】本発明に係る気密材の更に他の施工例を示す図である。
【符号の説明】
【００２７】
１    透湿防水シート１
２    弾性パッキン材
３    着座部
１０    基礎
１１    土台
１２    側根太
１３    床下張り材
１４    断熱材
１５    気密防湿シート
１６    抜板
【図１】
2006118305.tif 000003
【図２】
2006118305.tif 000004
【図３】
2006118305.tif 000005
【図４】
2006118305.tif 000006